(57)【要約】【課題】施工に支障をきたすことなく、排水に支障をきたすことのない太陽電池モジュールおよび太陽電池モジュール設置構造を提供すること。【解決手段】屋根面上に平板瓦２１とともに段葺きで設置される屋根材兼用の太陽電池モジュールを次のように構成する。棟側枠１２に、棟側に隣接して設置される別の太陽電池モジュールの軒側縁部を係止する棟金具１５が設けられており、棟金具１５は、棟側に隣接して設置される屋根材が桁行方向に沿って互いに重なり合う部分に対応する部位３１Ｌ，３１Ｒを除いて設けられている。【選択図】図１
2005307693.tif 000002
【特許請求の範囲】
【請求項１】
屋根面上に屋根材とともに段葺きで設置される屋根材兼用の太陽電池モジュールであって、
屋根面に設置された状態における棟側縁部に、棟側に隣接して設置される別の太陽電池モジュールの軒側縁部を係止する係止具が設けられており、前記係止具は、棟側に隣接して設置される前記屋根材が桁行方向に沿って互いに重なり合う部分に対応する部位を除いて設けられていることを特徴とする太陽電池モジュール。
【請求項２】
前記部位の幅は、前記屋根材が互いに重なり合う部分の桁行方向の幅以上であることを特徴とする請求項１に記載の太陽電池モジュール。
【請求項３】
前記部位は、当該太陽電池モジュールの桁行方向の両端部から、前記屋根材の働き幅の半分に相当する距離の位置に少なくとも設けられていることを特徴とする請求項２に記載の太陽電池モジュール。
【請求項４】
前記部位は、前記位置からさらに、前記屋根材の働き幅の整数倍に相当する距離の位置に少なくとも設けられていることを特徴とする請求項３に記載の太陽電池モジュール。
【請求項５】
前記屋根材が互いに重なり合う部分には、アンダーラップが形成されていることを特徴とする請求項１ないし請求項４のいずれかに記載の太陽電池モジュール。
【請求項６】
請求項１ないし請求項５のいずれかに記載の太陽電池モジュールの設置構造であって、
太陽電池モジュールの前記係止具に、棟側に隣接して設置された別の太陽電池モジュールの軒側縁部を引っ掛けて、軒棟方向に設置された太陽電池モジュール間の係止を行うことを特徴とする太陽電池モジュール設置構造。
【発明の詳細な説明】
【技術分野】
【０００１】
本発明は、太陽電池モジュールおよび太陽電池モジュール設置構造に関する。
【背景技術】
【０００２】
クリーンエネルギーを利用する手段の一つとして、住宅等の屋根に太陽電池モジュールを設置して、太陽の光エネルギーを電気エネルギーに変換する住宅用太陽光発電システムが普及してきている。
【０００３】
住宅等の屋根に設置される太陽電池モジュールは、光エネルギーを電気エネルギーに変換するための発電部、この発電部を保持する枠体部等で構成されている。発電部は、例えばスーパーストレート構造として形成され、単結晶または多結晶太陽電池セルが、ガラスと耐候性フィルムとの間に樹脂を介してサンドウィッチ状に封止されて形成されている。枠体部は、上下の軒側枠と棟側枠、左右の左側枠と右側枠で形成されている。このような枠体部により発電部の周縁部を囲って、発電部を保持するようにしている。
【０００４】
このように構成された太陽電池モジュールを住宅等の屋根に設置する場合、従来では、屋根面に、瓦、スレート、金属板等の屋根材を葺設し、この屋根材の上に鋼やアルミなどの金属材によって形成された架台を固定し、さらに、この架台に太陽電池モジュールを固定するようにしていた。ところが、架台等を利用して太陽電池モジュールを屋根に設置する場合には、太陽電池モジュールが架台の高さ分屋根面から浮いた形となり、意匠性が低下するとともに、架台等の部品が必要となり、コストがかさむという問題があった。
【０００５】
しかし、近年では、太陽電池モジュール自体を屋根材として利用して、屋根面に直接葺設することができるようになっている（例えば、特許文献１、特許文献２参照）。このような太陽電池モジュールによれば、架台等の部品が不要となり、コストダウンを図ることできるとともに、太陽電池モジュールの形状を周囲に配置される屋根材の形状に合わせることによって、意匠性の向上を図ることができる。
【０００６】
特許文献１には、太陽電池モジュールの固定方法として、軒側に設置されている太陽電池モジュールの棟側縁部に連続して設けられた係止体に、棟側に隣接して設置される別の太陽電池モジュールの軒側に設けられたカバーを引っ掛けることによって、太陽電池モジュールを固定する方法が示されている。
【０００７】
特許文献２には、太陽電池モジュールの固定方法として、太陽電池モジュールの棟側に所定長さに分割して設けられた複数の固定金具に、棟側に隣接して設置される別の太陽電池モジュールの軒側枠をねじで固定することによって、太陽電池モジュールを固定する方法が示されている。
【特許文献１】特開２００２−２１２５９号公報
【特許文献２】特開２００３−８２８１８号公報
【発明の開示】
【発明が解決しようとする課題】
【０００８】
しかし、従来の太陽電池モジュールには、次のような問題点があった。
【０００９】
太陽電池モジュールを、架台等を利用せずに、屋根面に直接葺設する場合、太陽電池モジュールは、その周囲に配置される屋根材とともに段葺きで、例えば千鳥状に設置される。この場合、屋根材としては主に平板瓦が使用される。そして、平板瓦には雨水を流すためのアンダーラップが形成されているものが多く、その大きさや形状は様々となっている。
【００１０】
したがって、上記特許文献１に記載の太陽電池モジュールでは、屋根面に設置された太陽電池モジュールの棟側に平板瓦を設置する場合には、太陽電池モジュールの棟側縁部に係止体が連続して設けられているため、平板瓦のアンダーラップの底面が太陽電池モジュールと接触するような形状の場合には、アンダーラップが係止体とぶつかり、施工に支障をきたす可能性がある。
【００１１】
また、上記特許文献２に記載の太陽電池モジュールでは、屋根面に設置された太陽電池モジュールの棟側に平板瓦を設置する場合には、平板瓦が配置される部分の固定金具を取り外すことで、平板瓦の軒側部分やアンダーラップとの干渉を避けることができるものの、棟側に太陽電池モジュールを設置する場合には、固定金具は太陽電池モジュール同士の固定に使用されるため、固定金具を取り外すことができない。この結果、太陽電池モジュールのアンダーラップを流れる水の流れが固定金具に阻害され、排水に支障をきたす可能性がある。
【００１２】
本発明は、上述した従来技術の問題点を鑑みてなされたものであり、施工に支障をきたすことなく、排水に支障をきたすことのない太陽電池モジュールおよび太陽電池モジュール設置構造を提供することを目的とする。
【課題を解決するための手段】
【００１３】
本発明は、上述の課題を解決するための手段を以下のように構成している。すなわち、屋根面上に屋根材とともに段葺きで設置される屋根材兼用の太陽電池モジュールであって、屋根面に設置された状態における棟側縁部に、棟側に隣接して設置される別の太陽電池モジュールの軒側縁部を係止する係止具が設けられており、前記係止具は、棟側に隣接して設置される前記屋根材が桁行方向に沿って互いに重なり合う部分に対応する部位を除いて設けられていることを特徴とする。具体的には、屋根材が互いに重なり合う部分には、アンダーラップが形成されている。
【００１４】
より好ましくは、本発明の太陽電池モジュールにおいて、前記部位の幅は、前記屋根材が互いに重なり合う部分の桁行方向の幅以上であることを特徴とする。
【００１５】
また、本発明の太陽電池モジュールにおいて、前記部位は、当該太陽電池モジュールの桁行方向の両端部から、前記屋根材の働き幅の半分に相当する距離の位置に少なくとも設けられていることを特徴とする。
【００１６】
このような構成の太陽電池モジュールによれば、棟側に平板瓦が配置される場合には、平板瓦のアンダーラップの底面が金具の表面よりも低く配置されていても、平板瓦のアンダーラップの底面が金具とぶつかることがなくなり、施工に支障をきたすことがなくなる。また、棟側に太陽電池モジュールが配置される場合には、降雨時に太陽電池モジュールのアンダーラップを流れる雨水の流れが阻害されることがなくなり、効率よく排水することができる。
【００１７】
本発明の太陽電池モジュールにおいて、前記部位は、前記位置からさらに、前記屋根材の働き幅の整数倍に相当する距離の位置に少なくとも設けられていることを特徴とする。
【００１８】
このような構成の太陽電池モジュールによれば、太陽電池モジュールを大型化し、その働き幅が平板瓦の働き幅の略整数倍の大きさであっても、棟側に平板瓦が配置される場合には、平板瓦のアンダーラップの底面が金具とぶつかることがなくなり、施工に支障をきたすことがなくなる。また、棟側に太陽電池モジュールが配置される場合には、降雨時に太陽電池モジュールのアンダーラップを流れる雨水の流れが阻害されることがなくなり、効率よく排水することができる。
【００１９】
また、本発明の太陽電池モジュールの設置構造は、上記本発明の太陽電池モジュールの設置構造であって、太陽電池モジュールの前記係止具に、棟側に隣接して設置された別の太陽電池モジュールの軒側縁部を引っ掛けて、軒棟方向に設置された太陽電池モジュール間の係止を行うことを特徴とする。
【００２０】
このような太陽電池モジュール設置構造によれば、屋根面への施工後に、太陽電池モジュールを単体で容易に取り外すことができ、太陽電池モジュールの取り替えを容易に行うことができる。
【発明の効果】
【００２１】
本発明の太陽電池モジュールは、上述のような構成であるから、棟側に平板瓦が配置される場合には、平板瓦のアンダーラップの底面が金具の表面よりも低く配置されていても、平板瓦のアンダーラップの底面が金具とぶつかることがなくなり、施工に支障をきたすことがなくなる。また、棟側に太陽電池モジュールが配置される場合には、降雨時に太陽電池モジュールのアンダーラップを流れる雨水の流れが阻害されることがなくなり、効率よく排水することができる。
【００２２】
また、本発明の太陽電池モジュールの設置構造によれば、屋根面への施工後に、太陽電池モジュールを単体で容易に取り外すことができる。
【発明を実施するための最良の形態】
【００２３】
以下、添付図面を参照しながら、本発明の実施の形態について説明し、本発明の理解に供する。なお、以下の実施の形態は、本発明を具体化した一例であって、本発明の技術的範囲を限定する性格のものではない。
【００２４】
図１は、本発明を適用する太陽電池モジュールの一実施形態を示す斜視図である。図２は、太陽電池モジュールの周囲に配置される平板瓦の斜視図である。図３は、太陽電池モジュールの屋根面での施工状態の断面図である。
【００２５】
図２に示すように、太陽電池モジュール１の周囲に配置される平板瓦２１は、働き部２４と、棟重なり部２５と、アンダーラップ２２とを備えている。棟重なり部２５は、働き部２４の棟側に設けられており、棟側に配置される平板瓦２１または太陽電池モジュール１と互いに重なり合う部分であり、屋根面への釘やねじ固定を行う部分である。アンダーラップ２２は、働き部２４の左右一側（図２では右側）に設けられており、その左右一側に配置される平板瓦２１または太陽電池モジュール１の左側端部と互いに重なり合う部分であり、雨水等を流す樋の役割を果たす部分である。なお、２３は、アンダーラップ２２の底面を表している。
【００２６】
働き部２４は、上述の棟重なり部２５とアンダーラップ２２を除いた部分であり、平板瓦２１を屋根面に設置した後に露出する部分である。この働き部２４は、具体的には、働き幅Ｗ１が６０６ｍｍ、利き足Ｌが３６０ｍｍに形成されている。ここで、働き幅Ｗ１とは、働き部２４の桁行方向の幅であり、利き足Ｌとは、働き部２４の軒棟方向の幅である。言い換えれば、働き幅Ｗ１は、平板瓦２１の桁行方向における全幅Ｗ２から、アンダーラップ２２の幅Ｗ３を除いた部分の幅をいう。アンダーラップ２２の幅Ｗ３は、具体的には、３５ｍｍに形成されている。なお、桁行方向とは、屋根面と水平面とが交わる線に沿った方向を意味する。また、軒棟方向とは、桁行方向と垂直な方向であって、屋根の傾斜面に沿った方向を意味し、この軒棟方向において、上部方向にある側を棟側と称し、下部方向にある側を軒側と称する。このことは、上記背景技術の欄や、上記発明が解決しようとする課題の欄に記載した棟側、軒側についても同様である。
【００２７】
屋根面上には、上記のような屋根材としての平板瓦２１とともに、後述する屋根材兼用の太陽電池モジュール１が段葺きで、例えば千鳥状に設置されている。平板瓦２１は、軒棟方向に互い違いに配置されており、その働き幅Ｗ１の半分の長さだけ桁行方向に互いにずらされて配置されている。そして、このような平板瓦２１と外観構造上取り合えるように、太陽電池モジュール１が形成されている。
【００２８】
図１に示す太陽電池モジュール１は、周囲に配置される屋根材（平板瓦２１）を２枚横に並べたサイズの太陽電池モジュールである。太陽電池モジュール１は、光エネルギーを電気エネルギーに変換するための発電部２と、発電部２を保持する枠体部とを備えている。発電部２は、例えばスーパーストレート構造として形成され、単結晶または多結晶太陽電池セルが、ガラスと耐候性フィルムとの間に樹脂を介してサンドウィッチ状に封止されて形成されている。発電部２の裏面側（反受光面側）には、電力を取り出すための図示しない端子ボックスとケーブルが取り付けられている。なお、発電部２を、ガラス部分に透明フィルムを使用したサブストレート構造として形成してもよい。また、太陽電池セルはアモルファス系や結晶シート型であってもよい。
【００２９】
枠体部は、軒側の軒側枠１１、棟側の棟側枠１２、左右の左側枠１４と右側枠１３で形成されている。枠体部は、アルミニウムの押し出し成型品、または鉄板のロール成型やプレス成型品等として形成されている。このような枠体部により発電部２の周縁部を囲って、発電部２を保持するようにしている。ただし、枠体部に替えて、板を折り曲げた基盤上に発電部２を保持するようにしてもよい。
【００３０】
右側枠１３には、アンダーラップ１６が形成されている。アンダーラップ１６は、右側に配置される太陽電池モジュール１または平板瓦２１の左側端部と互いに重なり合う部分であり、雨水等を流す樋の役割を果たす部分である。なお、周囲に配置される平板瓦２１のアンダーラップ２２が働き部２４の左側に形成される場合には、左側枠１４にアンダーラップを形成するようにする。
【００３１】
太陽電池モジュール１は、平板瓦２１を２枚横に並べたサイズの太陽電池モジュールであり、その働き幅Ｗが、上述した平板瓦２１の働き幅Ｗ１の略２倍となっている。ここで、働き幅Ｗとは、太陽電池モジュール１を屋根面に設置した後に露出する部分の桁行方向の幅であり、言い換えれば、働き幅Ｗは、太陽電池モジュール１の桁行方向における全幅Ｗ４から、アンダーラップ１６の幅Ｗ５を除いた部分の幅をいう。具体的には、太陽電池モジュール１の働き幅Ｗは１２１０ｍｍに形成されている。この太陽電池モジュール１の働き幅Ｗは、屋根面での設置状態では、枠体部の熱膨張なども考慮する必要があるため、平板瓦２１の働き幅Ｗ１の２倍の１２１２ｍｍよりも、２ｍｍ短く形成されている。このように短くする長さは、枠体部の線膨張係数等により異なる。なお、アンダーラップ１６の桁行方向の幅Ｗ５は、平板瓦２１のアンダーラップ２２の桁行方向の幅Ｗ３と略等しく形成されている。
【００３２】
図１、図３に示すように、軒側枠１１には、発電部２の軒側端部２ａが差し込まれている。また、軒側枠１１の下部には、軒金具１９と軒カバー１８がねじ５１により取り付けられている。軒金具１９は、断面視で略Ｌ字状に形成されており、この軒金具１９の係止片１９ａが軒側枠１１の下方において棟側に突出している。軒金具１９の軒側の面は軒カバー１８により覆われている。軒金具１９および軒カバー１８は、軒側枠１１の一端側から他端側にかけて設けられている。
【００３３】
棟側枠１２には、発電部２の棟側端部２ｂが差し込まれている。また、棟側枠１２の上部には、棟金具１５がねじ５２により取り付けられている。この棟金具１５は、棟側に隣接して設置される別の太陽電池モジュール１ｂの軒側縁部を係止する係止具である。棟金具１５は、ねじ５２により棟側枠１２に取り付けられた状態において、棟側枠１２との間に、軒金具１９の係止片１９ａを挿入可能な隙間が形成されるようになっている。棟金具１５が取り付けられる位置については、後述する。一方、棟側枠１２の下部には、一体成形によって、下側係止片１２ａが形成されており、この下側係止片１２ａに屋根固定金具４１の係止爪４１ａが係脱可能に係止されている。
【００３４】
図３に示すように、太陽電池モジュール１を段葺きで設置する場合には、屋根面上に設置された太陽電池モジュール１ａの棟側枠１２に固定された棟金具１５に、その棟側に隣接して設置される太陽電池モジュール１ｂの軒側枠１１に固定された軒金具１９を引っ掛ける。つまり、太陽電池モジュール１ａに形成された棟金具１５と棟側枠１２との隙間に、その棟側に設置される太陽電池モジュール１ｂの軒金具１９の係止片１９ａを差し込むことによって、太陽電池モジュール１，１間の係止を行うようにしている。
【００３５】
また、棟側枠１２の下部に引っ掛けにより固定された屋根固定金具４１は、木ねじ４２により野地板４３に固定されている。このように、太陽電池モジュール１を屋根面に設置するようにしている。棟側枠１２には、屋根固定金具４１の係止爪４１ａが係脱可能に係止されることによって固定されているため、屋根面への施工後に、太陽電池モジュール１を単体で容易に取り外すことができる。
【００３６】
野地板４３には、防水用のルーフィング４４が取り付けられている。木ねじ４２を打つ位置には、屋根固定金具４１とルーフィング４４との間に止水材４５が介装されている。止水材４５の材質は、ブチルゴムやＥＰＤＭ系ゴムである。なお、シリコーン系のシーラントで止水してもよい。
【００３７】
太陽電池モジュール１における棟金具１５が設けられる位置について、図１、図４、図５を用いて説明する。
【００３８】
図１に示すように、太陽電池モジュール１の棟側枠１２には、その一端側と他端側との間に、棟金具１５が設けられていない部位３１Ｌ，３１Ｒが存在している。言い換えれば、棟金具１５は、棟側枠１２の一端側から他端側にかけて、上記部位３１Ｌ，３１Ｒを除いて、３つ設けられている。これらの部位３１Ｌ，３１Ｒは、棟側に隣接して設置される平板瓦２１のアンダーラップ２２（または太陽電池モジュール１のアンダーラップ１６）の位置に対応して設けられている。
【００３９】
また、上記部位３１Ｌ，３１Ｒは、アンダーラップ１６を除いた太陽電池モジュール１の左右の端部から平板瓦２１の働き幅Ｗ１の半分に相当する距離の位置Ｐ１，Ｐ２にそれぞれ設けられており、それぞれの桁行方向の幅ｗは、平板瓦２１のアンダーラップ２２の幅Ｗ３以上の幅となっている。この幅ｗは、具体的には、５５ｍｍに形成されている。これは、屋根面への設置時における誤差を考慮する必要があるため、アンダーラップ２２の幅Ｗ３（具体的には、３５ｍｍ）と比べて、左右に１０ｍｍずつ余裕をもたせたことによるものである。また、上記位置Ｐ１，Ｐ２の位置は、平板瓦２１が軒棟方向に互い違いに配置され、その働き幅Ｗ１の半分の長さだけ桁行方向に互いにずらされて配置されていることによるものである。
【００４０】
図４は、太陽電池モジュール１の棟側に平板瓦２１を隣接して設置した斜視図である。太陽電池モジュール１の棟側に隣接して、平板瓦２１が段葺きで設置される場合には、太陽電池モジュール１に棟金具１５が取り付けられたままでは、棟金具１５が平板瓦２１の軒側の部分と干渉してしまう。このため、屋根面への施工時に、平板瓦２１の軒側部分と干渉する部分の棟金具１５（図４では、左側の部位３１Ｌよりも右側に取り付けられた棟金具１５）を取り外してから太陽電池モジュール１を設置している。なお、平板瓦２１の軒側部分が棟金具１５と干渉しないように形成されている場合には、軒金具１５を取り外す必要がなく、棟金具１５を取り付けたままで太陽電池モジュール１を設置してもよい。
【００４１】
平板瓦２１を設置した場合、そのアンダーラップ２２は、太陽電池モジュール１の左側の部位３１Ｌと上下に重なるように配置される。左側の部位３１Ｌは棟金具１５が存在しない部分であるため、アンダーラップ２２の底面２３が棟金具１５の表面よりも低く配置される場合であっても、アンダーラップ２２が棟金具１５と当たることがなくなり、施工に支障をきたすことがなくなる。
【００４２】
なお、図４において、太陽電池モジュール１の棟側に隣接して設置された平板瓦２１の左側に、さらに平板瓦２１が設置される場合には、この平板瓦２１の軒側部分と干渉する部分の棟金具１５（図４では、上記部位３１Ｌ，３１Ｒ間に取り付けられた棟金具１５）も取り外してから太陽電池モジュール１を設置する。ただし、平板瓦２１の軒側部分が棟金具１５と干渉しないように形成されている場合には、軒金具１５を取り外す必要がなく、棟金具１５を取り付けたままで太陽電池モジュール１を設置してもよい。この場合にも、平板瓦２１を設置すると、そのアンダーラップ２２は、太陽電池モジュール１の右側の部位３１Ｒと上下に重なるように配置され、アンダーラップ２２の底面２３が棟金具１５の表面よりも低く配置される場合であっても、アンダーラップ２２が棟金具１５と当たることがなくなり、施工に支障をきたすことがなくなる。
【００４３】
図５は、太陽電池モジュール１ａ，１ａの棟側に、別の太陽電池モジュール１ｂを隣接して設置した斜視図である。太陽電池モジュール１を段葺きで設置する場合には、軒側の太陽電池モジュール１ａの棟側枠１２に取り付けられた棟金具１５に、棟側の太陽電池モジュール１ｂの軒側枠１１に取り付けられた軒金具１９の係止片１９ａを引っ掛けることによって、太陽電池モジュール１ａ，１ｂ間の固定をしている（図３）。このように、棟側の太陽電池モジュール１ｂの軒金具１９が軒側の太陽電池モジュール１ａの棟金具１５に引っ掛かることによって、軒棟方向に設置される太陽電池モジュール１ａ，１ｂ間が係止される設置構造であるため、屋根面への施工後に、太陽電池モジュール１を棟側から順次単体で容易に取り外すことができ、太陽電池モジュール１の取り替えを容易に行うことができる。
【００４４】
太陽電池モジュール１ａ，１ａの棟側に、別の太陽電池モジュール１ｂを隣接して設置した場合、棟側の太陽電池モジュール１ｂのアンダーラップ１６は、太陽電池モジュール１ａの左側の部位３１Ｌと上下に重なるように配置される。左側の部位３１Ｌは棟金具１５が存在しない部分であるため、降雨時にアンダーラップ１６を流れる雨水の流れが阻害されることがなくなり、効率よく排水することができる。
【００４５】
以上のように、太陽電池モジュール１には、その棟側縁部に棟金具１５が、太陽電池モジュール１の棟側に隣接して設置される屋根材（太陽電池モジュール１、平板瓦２１）が桁行方向に沿って互いに重なり合う部分（アンダーラップ１６、アンダーラップ２２）に対応する幅ｗの部位３１Ｌ，３１Ｒを除いて設けられている。なお、太陽電池モジュール１は、上記部位３１Ｌ，３１Ｒ以外の部分に、棟金具１５が設けられる構成であれば、上述の構成に限定されない。例えば、棟金具１５の大きさや個数等を適宜変更することができ、複数の棟金具１５を同一の大きさとして、所定間隔をあけて設けるようにしてもよい。また、上記位置Ｐ１，Ｐ２の位置は、平板瓦２１が軒棟方向に互い違いに配置され、その働き幅Ｗ１の半分の長さだけ桁行方向に互いにずらされて配置されていることによるものであるため、桁行方向にずらす長さに応じて、上記位置Ｐ１，Ｐ２の位置も変更される。
【００４６】
太陽電池モジュール自体のサイズは、周囲に配置される平板瓦２１の働き幅Ｗ１の略整数倍のサイズであればよく、上述したような平板瓦２１を２枚横に並べたサイズの太陽電池モジュール１に限定されない。例えば、図６に示すように、平板瓦２１を３枚横に並べたサイズの太陽電池モジュール１００とすることができる。
【００４７】
図６に示す太陽電池モジュール１００について説明する。なお、上述した太陽電池モジュール１と同様の構成による部分については、その詳しい説明を省略し、異なる構成による部分について説明する。
【００４８】
太陽電池モジュール１００は、平板瓦３枚分のサイズの太陽電池モジュールであり、その働き幅Ｗ６が、上述した平板瓦２１の働き幅Ｗ１の略３倍となっている。太陽電池モジュール１００の働き幅Ｗ６は、具体的は、１８１５ｍｍに形成されている。この太陽電池モジュール１００の働き幅Ｗ６は、屋根面での設置状態では、枠体部の熱膨張なども考慮する必要があるため、平板瓦２１の働き幅Ｗ１の３倍の１８１８ｍｍよりも、３ｍｍ短く形成されている。なお、アンダーラップ１６の桁行方向の幅Ｗ５は、平板瓦２１のアンダーラップ２２の桁行方向の幅Ｗ３と略等しく形成されている。
【００４９】
太陽電池モジュール１００の棟側縁部には、その一端側と他端側との間に、棟金具１１５が設けられていない部位１３１Ｌ，１３１Ｍ，１３１Ｒが存在している。言い換えれば、棟金具１１５は、棟側枠１１２の一端側から他端側にかけて、上記部位１３１Ｌ，１３１Ｍ，１３１Ｒを除いて、４つ設けられている。これらの部位１３１Ｌ，１３１Ｍ，１３１Ｒは、棟側に隣接して設置される平板瓦２１のアンダーラップ２２（または太陽電池モジュール１のアンダーラップ１６）の位置に対応して設けられている。
【００５０】
そして、上記部位１３１Ｌ，１３１Ｒは、アンダーラップ１１６を除いた太陽電池モジュール１００の左右の端部から平板瓦２１の働き幅Ｗ１の半分に相当する距離の位置Ｐ３，Ｐ４にそれぞれ設けられており、それぞれの桁行方向の幅ｗは、平板瓦２１のアンダーラップ２２の幅Ｗ３以上の幅となっている。また、上記部位１３１Ｍは、上記位置Ｐ３（位置Ｐ４）から平板瓦２１の働き幅Ｗ１の１倍に相当する距離の位置Ｐ５（位置Ｐ４からの場合には位置Ｐ６）に設けられており、その桁行方向の幅ｗは、平板瓦２１のアンダーラップ２２の幅Ｗ３以上の幅となっている。この幅ｗは、具体的には、５５ｍｍに形成されており、屋根面への設置時における誤差を考慮して、アンダーラップ２２の幅Ｗ３（具体的には、３５ｍｍ）と比べて、左右に１０ｍｍずつ余裕をもたせている。
【００５１】
このように、太陽電池モジュール１００に、部位１３１Ｌ，１３１Ｒに加えて、部位１３１Ｍを設けることによって、太陽電池モジュールを大型化し、その働き幅を平板瓦２１の働き幅Ｗ１の略整数倍の大きさとしても、棟側に平板瓦２１が隣接して配置される場合には、平板瓦２１のアンダーラップ２２の底面２３が棟金具１１５とぶつかることがなくなり、施工に支障をきたすことがなくなる。また、棟側に太陽電池モジュール１００が隣接して配置される場合には、降雨時にアンダーラップ１１６を流れる雨水の流れが阻害されることがなくなり、効率よく排水することができる。
【図面の簡単な説明】
【００５２】
【図１】本発明を適用する太陽電池モジュールの一実施形態を示す斜視図である。
【図２】太陽電池モジュールの周囲に配置される平板瓦の斜視図である。
【図３】太陽電池モジュールの屋根面での施工状態の断面図である。
【図４】太陽電池モジュールの棟側に平板瓦を隣接して設置した施工状態の斜視図である。
【図５】太陽電池モジュールの棟側に、別の太陽電池モジュールを隣接して設置した施工状態の斜視図である。
【図６】太陽電池モジュールの他の例を示す斜視図である。
【符号の説明】
【００５３】
１    太陽電池モジュール
２    発電部
１１  軒側枠
１２  棟側枠
１３  右側枠
１４  左側枠
１５  棟金具
１６  アンダーラップ
２１  平板瓦
２２  アンダーラップ
３１Ｌ，３１Ｒ  棟金具が設けられていない部位
【図１】
2005307693.tif 000003
【図２】
2005307693.tif 000004
【図３】
2005307693.tif 000005
【図４】
2005307693.tif 000006
【図５】
2005307693.tif 000007
【図６】
2005307693.tif 000008